(57)【要約】【課題】連結された複数の画像形成装置において、連結印刷時に、スレーブ機側にマスター機と同じサイズの用紙がない場合であっても、スレーブ機側に存在する用紙サイズで印刷することが可能である画像形成装置を提供する。【解決手段】連結印刷において、スレーブ機側に、マスター機と同じサイズの用紙がない場合は、その旨をマスター機の表示装置に表示し、さらに、スレーブ機での用紙サイズを選択することが可能であり、選択した用紙サイズに応じて変倍し、印刷を行う。【選択図】        図７
2005043429.tif 000002
【特許請求の範囲】
【請求項１】
画像形成モードを入力する画像形成モード設定手段と、
画像データを記憶する画像記憶手段と、
記憶された画像データを印刷する画像印刷手段と、
画像を電気的に変倍処理する変倍手段と、
動作コマンド、状態、画像データ等を通信する連結通信手段と、
複数台の画像形成装置が前記連結通信手段を介して接続されると共に、所定の画像形成装置で画像形成モード設定を行い、記憶された画像データを他の画像形成装置に転送して印刷出力させる連結画像形成モードと、前記画像形成モード設定手段に含まれる連結画像形成モード設定手段と、
所定の画像形成装置で前記連結画像形成モード設定を行い、且つ他機の画像形成装置に設定されていない用紙サイズのトレイ選択を許可し、且つ他機の画像形成は他機にある用紙サイズを使用して行う、
連結画像形成モードでのジョブの実行指示を受け付ける手段とを有することを特徴とする画像形成装置。
【請求項２】
所定の画像形成装置において、連結画像形成モードを設定した場合、他機の画像形成装置に設定されていない用紙サイズであれば、その旨を所定の画像形成装置の表示装置に表示する手段と、
他機で画像形成する用紙サイズを選択する手段とを有することを特徴とする請求項１記載の画像形成装置。
【請求項３】
他機での画像形成は、選択された用紙サイズに応じて変倍処理を行う手段を有することを特徴とする請求項１記載の画像形成装置。
【発明の詳細な説明】
【０００１】
【発明の属する技術分野】
本発明は、連結印刷が可能な画像形成装置に関する。
【０００２】
【従来の技術】
近年、画像形成装置に関しては、多機能化、高速化、複数台の画像形成装置の連結による処理の分散化がなされ、且つ使い勝手の向上がされつつある。
例えば、複数の画像形成装置を連結接続した画像形成システムにおいて、画像形成不可能となった画像形成装置への画像データを他の画像形成装置に振り替えて形成できることを特徴とする画像形成システム及びその方法に関する発明がある（特許文献１参照）。
【０００３】
本発明と類似する従来技術として、連結されたそれぞれの画像形成装置の印刷に関する情報を表示することにより、マスター機側におけるスレーブ機の選択操作を簡略化し、連結モード時の作業性を向上させることを特徴とする連結画像形成システムに関する発明がある（特許文献２参照）。
【０００４】
また、複数の画像出力装置の画像処理能力を考慮して、重連時の装置配分処理を自動的に行うことができることを特徴とする画像形成システムに関する発明や（特許文献３参照）、重連コピージョブをより効率的に実行することができることを特徴とした印刷システムおよびその画像出力方法、並びに記憶媒体に関する発明がある（特許文献４参照）。
【０００５】
【特許文献１】
特開平８−１３９８３７号公報
【特許文献２】
特開２０００−３４７５４０号公報
【特許文献３】
特開２００１−２８２４８７号公報
【特許文献４】
特開２００２−７２７７７号公報
【０００６】
【発明が解決しようとする課題】
従来の連結画像形成システムでは、特に大量の印刷ボリュームとなるジョブに対し、複数台にて印刷動作を並行して実施できるため、その仕上がりの完成までに要する時間を短くすることができることが最大のメリットである。
しかしながら、従来の連結画像形成システムでは、予めマスター機（連結印刷の操作の主体（モード設定や原稿の読み取り、ジョブ起動）を行う画像形成装置を称する。）とスレーブ機（マスター機からの画像を転送手段により受信して、いくらかの印刷が分配される画像形成装置を称する。スレーブ機は一台であるとは限定されない。）に同じ用紙サイズが設定されている用紙サイズでしか連結印刷できないという欠点がある。
【０００７】
例えば、マスター機からはスレーブ機にない用紙サイズを選択した場合は連結印刷できない。或いは、連結印刷モードを設定した場合は、スレーブ機に設定されていない用紙は選択できないようになっている。
一方、先にマスター機で印刷モードを設定し、連結印刷可能なスレーブ機を後から選択することも可能な画像形成装置もあるが、その場合においても、同一用紙サイズがない装置は選択できないようになっている。従って、スレーブ機側に必要な用紙サイズがなくても、スレーブ機に存在する用紙サイズで印刷し、必要数の印刷結果を得たいという使い方ができなかった。
【０００８】
本発明は上記事情を鑑みてなされたものであり、スレーブ機を活用した連結印刷が可能な画像形成装置を提供することを目的とする。
【０００９】
【課題を解決するための手段】
前記課題を解決するために、請求項１記載の発明は、画像形成モードを入力する画像形成モード設定手段と、画像データを記憶する画像記憶手段と、記憶された画像データを印刷する画像印刷手段と、画像を電気的に変倍処理する変倍手段と、動作コマンド、状態、画像データ等を通信する連結通信手段と、複数台の画像形成装置が前記連結通信手段を介して接続されると共に、所定の画像形成装置で画像形成モード設定を行い、記憶された画像データを他の画像形成装置に転送して印刷出力させる連結画像形成モードと、前記画像形成モード設定手段に含まれる連結画像形成モード設定手段と、所定の画像形成装置で前記連結画像形成モード設定を行い、且つ他機の画像形成装置に設定されていない用紙サイズのトレイ選択を許可し、且つ他機の画像形成は他機にある用紙サイズを使用して行う、連結画像形成モードでのジョブの実行指示を受け付ける手段とを有することを特徴とする。
【００１０】
請求項２記載の発明は、請求項１記載の装置において、連結画像形成モードを設定した場合、他機の画像形成装置に設定されていない用紙サイズであれば、その旨を所定の画像形成装置の表示装置に表示する手段と、他機で画像形成する用紙サイズを選択する手段とを有することを特徴とする。
【００１１】
請求項３記載の発明は、請求項１記載の装置において、他機での画像形成は、選択された用紙サイズに応じて変倍処理を行う手段を有することを特徴とする。
【００１２】
【発明の実施の形態】
次に、添付図面を参照しながら本発明の実施形態を説明する。
図１は、本発明の実施形態である画像形成装置を示す図である。
自動原稿送り装置（以下ＡＤＦ）１にある原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される。一枚の原稿が給送完了することにより原稿枚数をカウントアップするカウント機能を有している。給送された原稿は読み取りユニット５０によってコンタクトガラス６上の原稿の画像データを読み取り後、読み取りが終了した原稿は、給送ベルト４及び排送ローラ５によって排出される。
さらに、原稿セット検知７にて原稿台２に次の原稿があることを検知した場合は、前原稿と同様にコンタクトガラス６上に給送され、前記動作を行う。給送ローラ３、給送ベルト４、排送ローラ５は搬送モータ２６によって駆動される。
【００１３】
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザーによって感光体１５に書き込まれ、現像ユニット２７を通過することによってトナー像が形成される。そして、転写紙は感光体１５の回転と等速で搬送ベルト１６によって搬送されながら、転写紙に感光体１５上のトナー像が転写される。その後、定着ユニット１７にて画像を定着させ、排紙ユニット１８によって後処理装置のフィニシャ１００に排出される。
【００１４】
後処理装置のフィニシャ１００は、本体の排紙ローラ１９によって搬送された転写紙を、通常排紙方向、またはステープル処理部方向へ導くことが可能である。切替板１０１を上方向に切り替えることにより、搬送ローラ１０３を経由して通常排紙トレイ１０４側に排紙することが可能である。また、切替板１０１を下方向に切り替えることで、搬送ローラ１０５、１０７を経由して、ステープル台１０８に搬送することが可能である。ステープル台１０８に積載された転写紙は、一枚排紙されるごとに紙揃え用のジョガー１０９によって、紙端面が揃えられ、一部のコピーが完了すると共にステープラ１０６によって綴じられる。ステープラ１０６で綴じられた転写紙群は、自重によって、ステープル完了排紙トレイ１１０に収納される。
一方、通常排紙トレイ１０４は前後に移動可能な排紙トレイである。前後に移動可能な排紙トレイ１０４は原稿毎に、あるいは画像メモリによってソーティングされたコピー部毎に前後に移動し、排出されるコピー紙を簡易的に仕分けるものである。
【００１５】
また、転写紙の両面に画像を作像する場合は、各給紙トレイ８〜１０から給紙され作像された転写紙をフィニッシャ１００側に導かないで、排紙ユニット１８の搬送路上に設けられた、経路切り替えのための分岐爪（図示せず）を上側にセットすることで、反転ユニット１１２によって反転し、一旦、両面搬送ユニット１１１にストックする。その後、両面搬送ユニット１１１にストックされた転写紙は、再び感光体１５に作像されたトナー画像を転写するために、両面給紙ユニット１１１から再給紙され、転写された後、経路切り替えのための分岐爪を下側にセットし、フィニッシャ１００に導かれる。このように転写紙の両面に画像を作成する場合に両面搬送ユニット１１１は使用される。
【００１６】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００１７】
図２は、操作部３０を示す図である。
操作部３０には、液晶タッチパネル３１、テンキー３２、クリア／ストップキー３３、プリントキー３４、予熱キー３５、リセットキー３６、割込キー３７、初期設定キー３８があり、液晶タッチパネル３１には、機能キー、部数、及び画像形成装置の状態を示すメッセージなどが表示される。
【００１８】
操作部３０の割込キー３７の押下により、割り込みモードに移行する。割り込みモードは、コピー動作実行中および操作中において一時的にコピー作業を割り込んでコピーをするときのモードである。このモードを設定することにより、その前のコピーモード、およびコピー途中であればその途中経過情報を不揮発ＲＡＭに記憶し、割り込みモードに移行し、モードを初期化する。割り込みコピー動作実行後、割り込みモード解除すると、不揮発ＲＡＭに記憶したモードおよび情報を戻して、割り込みモード設定前の状態を復帰させ、再スタートにて割り込み前のモードを継続することが可能である。
【００１９】
操作部３０の初期設定キー３８の押下により、画像形成装置の初期状態を任意にカスタマイズすることが可能である。画像形成装置が収納している用紙サイズを設定したり、コピー機能のリセットキーを押したときに設定される状態を任意に設定することが可能である。
【００２０】
操作部３０の予熱キー３５の押下により、画像形成装置は待機状態から予熱状態に移行し、定着温度を低下させたり、操作部の表示を消灯する。予熱状態とは、国際エネルギースター計画で言う、低電力状態を意味する。また、予熱状態、オフ状態／スリープ状態を解除し、待機状態に移行させるには、この予熱キーを再度押下する。
【００２１】
図３は、操作部３０の液晶タッチパネル３１の表示一例を示す図である。
オペレータが液晶タッチパネル３１に表示されたキーにタッチすることで、選択された機能を示すキーが黒く反転する。また、機能の詳細を指定しなければならない場合（例えば変倍であれは変倍値等の指定）は、キーにタッチすることで、詳細機能の設定画面が表示される。液晶タッチパネルは、ドット表示器を使用しているため、前記のように、場合に応じて最適な表示をグラフィカルに行うことが可能である。
【００２２】
連結コピーキー４０は、一台以上の画像形成装置と電気的に接続されている場合に有効なキーである。連結コピーキーの押下により、キー押下した画像形成装置がマスター機となり、接続されている他の画像形成装置がスレーブ機となる。選択されている機能がコピーであれば、マスター機の操作部のスタート指示により、マスター機で読み取った原稿画像をスレーブ機でも出力することが可能である。
【００２３】
図４は、メインコントローラ２０を中心に、制御装置を示す図である。
メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。
また、メインコントローラ２０には、複数の画像形成装置に連結して装置の構成および機能情報、動作制御に関する情報の送受信を行うための連結Ｉ／Ｆ４８が接続されている。メインコントローラ２０は、連結Ｉ／Ｆ４８を介して接続された他の画像形成装置の情報を獲得し、動作を設定することにより連結動作の制御を行う、もしくは接続された他の画像形成装置からの要求を獲得し、自機の動作の制御を行う。
できるだけ両機のジョブ終了が同時になるように、常時両機の状態（サプライエンドやジャムなど）を監視し、両機の分配率を見直すようにする。ソートモードの場合では、部数単位で分配する。
各分散制御装置とメインコントローラ２０は、必要に応じて機械の状態、動作司令のやりとりを行っている。また紙搬送等に必要なメインモータ２５、各種クラッチ２１〜２４も接続されている。
【００２４】
図１に戻り、画像形成装置の原稿読み取りから画像の書き込みまでを説明する。
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジ第２キャリッジとがある一定の相対速度で機械的に操作される。この光学走査系は、図示しないスキャナ駆動モータにて駆動される。原稿画像は、ＣＣＤイメージセンサ５４によって読み取られ、電気信号に変換されて処理される。
書き込みユニット５７は、レーザ出力ユニット５８、結像レンズ５９、ミラー６０を有し、レーザ出力ユニット５８の内部には、レーザ光源であるレーザダイオード及びモータによって高速で定速回転する多角形ミラー（ポリゴンミラー）が備わっている。
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００２５】
図５は、画像処理ユニット（ＩＰＵ）４９の内部構造を示すブロック図である。
露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。
セレクタ６４では、画像信号の送り先を、変倍部７２方向、またはメモリコントローラ６５方向へ切り替える制御が行われる。変倍部７２を経由した画像信号は、変倍率に合わせて拡大縮小され、セレクタ７６に送られる。セレクタ７６では、画像信号の送り先を、書込みγ補正７１方向、またはメモリコントローラ６５方向へ切り替える制御が行われる。書き込みγ補正ユニット７１を経由した画像信号は、作像条件に合わせて書き込みγ補正され、書き込みユニット５７に送られる。
画像メモリコントローラ６５とセレクタ６４、７６間は、双方向に画像信号を入出力可能な構成となっている。
変倍処理については、変倍せずに画像メモリ６６へ画像を格納することが可能であり、画像メモリ６６から読み出して変倍処理をし、書き込みユニットへ送ることも可能である。また、画像メモリ６６からの画像を変倍し、再度画像メモリ６６へ戻すことも可能である。
また、画像メモリコントローラ６５等への設定や、読み取り部５０、書き込み部５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６のデータの書き込み、読み出しを行うことが可能である。
【００２６】
連結Ｉ／Ｆ４８は画像情報の送受信のため、メモリコントローラ６５のデータバスに接続され、データの入出力が可能な構成となっている。画像情報は、画像形成装置間のデータ転送速度に応じて画像メモリ６６を介して転送される。すなわち、画像を送信する場合には、メモリコントローラ６５から画像メモリ６６に画像データを格納した後、画像形成装置間のデータ転送速度に応じて順次画像メモリ６６からデータを読み出し、連結Ｉ／Ｆにデータを転送する。画像を受信する場合には、連結Ｉ／Ｆより転送される画像データを画像メモリ６６に格納した後、画像メモリ６６からメモリコントローラ６５を介して装置内部で画像データの処理を行う。上述の構成により、画像形成装置の機能の制約を受けることなく連結動作の実現が可能となる。
【００２７】
原稿画像でメモリコントローラ６５へ送られた画像は、メモリコントローラ６５内にある画像圧縮装置によって画像データを圧縮した後、画像メモリ６６に送られる。
ここで画像データを圧縮する理由は、最大画像サイズ分の２５６階調のデータをそのまま画像メモリ６６に書き込むことも可能であるが、１枚の原稿画像で画像メモリ６６のエリアを大変多く使用する。画像圧縮を行う事で、限られた画像メモリ６６のエリアを有効に利用できる。また、画像圧縮により、一度に多くの原稿画像データを画像メモリ６６に記憶することが可能であるため、ソート機能として、貯えられた原稿画像データをページ順に出力することができる。この場合、画像を出力する際に画像メモリ６６のデータをメモリコントローラ６５内の伸長装置で順次伸長しながら出力を行う。このような機能は一般に「電子ソート」と呼ばれている。
【００２８】
また、メモリコントローラ６５の機能を利用して、複数枚の原稿画像を、画像メモリの転写紙一枚分のエリアを分割したエリアに順次読み込む事も可能となる。例えば４枚の原稿画像を、画像メモリの転写紙一枚分の４等分されたエリアに順次書き込む事で、４枚の原稿が一枚の転写紙イメージに合成され集約されたコピー出力を得ることが可能となる。このような機能は一般に「集約コピー」と呼ばれている。
【００２９】
画像メモリ６６の画像はＣＰＵ６８からアクセス可能な構成となっている。このため、画像メモリ６６の内容を加工することが可能である。例えば、画像の間引き処理、画像の切り出し処理等が行える。加工には、メモリコントローラー６５のレジスタにデータを書き込むことで画像の処理を行うことができる。加工された画像は再度画像メモリ６６に保持される。
【００３０】
また、画像メモリ６６は、処理を行う画像データの大きさにより複数のエリアに分割して画像データの入出力を同時に実行することが可能な構成をとっている。各分割したエリアに画像データの入力、出力をそれぞれ並列に実行可能にするためにメモリコントローラとのインターフェースにリード用とライト用の二組のアドレス・データ線で接続されている。これにより、一方のエリアに画像を入力（ライト）する間に、他方のエリアより画像を出力（リード）するという動作が可能になる。
【００３１】
また、画像メモリ６６の内容をＣＰＵ６８が読み出し、Ｉ／Ｏポート６７を経て、画像データ７３として操作部３０に転送することが可能な構成となっている。一般に、操作部３０の画面表示解像度は低いため、画像メモリ６６の原画像は画像間引きが行われ、操作部３０に送られる。
【００３２】
画像メモリ６６は、多くの画像データを格納するために、ハードディスクを用いることがある。これにより、外部電源が不用となり、永久的に画像を保持できる特徴もある。複数の定型の原稿（フォーマット原稿）をスキャナで読み込み、保持するためには、画像メモリとしてハードディスクを用いるのが一般的である。
【００３３】
図６は、セレクタ６４および７６における１ページ分の画像信号について示した画像信号説明図である。
／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素８ビット（２５６階調）のデータが送られてくる。本実施例では、転写紙への書込密度４００ｄｐｉ、最大画素数は、主走査４８００画素、副走査６８００画素である。
【００３４】
図７は、本発明の実施形態である画像形成装置のマスター機側の処理動作例を示すフローチャートである。
連結コピーモードが設定されている状態で、トレイが選択された場合（ステップＳ０１／Ｙｅｓ）、スレーブ機に選択されたトレイの用紙サイズが設定されているかをチェックする（ステップＳ０２）。スレーブ機に設定されているサイズであれば（ステップＳ０２／Ｙｅｓ）、選択したトレイを確定させる（ステップＳ０６）。このとき、選択したトレイが反転表示される。スレーブ機に設定されていないサイズであれば（ステップＳ０２／Ｎｏ）、図９のようなメッセージを表示する（ステップＳ０３）。ここで、図９は、液晶タッチパネルに表示されるメッセージの一例を示した図である。図９において、スレーブ機での印刷用紙サイズを選択することが可能である。用紙サイズを選択すると、選択されたトレイが反転表示される。スレーブ機における用紙が選択された場合（ステップＳ０４／Ｙｅｓ）は、スレーブ機の用紙サイズを設定する（ステップＳ０５）。その後、図９の画面において、確認キーの押下でメッセージ表示が消去される。
図９において、スレーブ機の用紙サイズが選択されずに確認キーを押した場合は（ステップＳ０４／Ｎｏ）、スレーブ機の用紙サイズは、マスター機と同じとなる。したがって、この状態で連結コピー動作を開始した場合、マスター機のみで印刷が実行され、スレーブ機での印刷は、開始されない。スレーブ機の用紙設定が変更された時点で、スレーブ機での印刷動作が開始される。
【００３５】
図８は、本発明の実施形態である画像形成装置のスレーブ機側の処理動作例を示すフローチャートである。
スレーブ機側では、画像サイズと、印刷用紙サイズを元に倍率を計算し（ステップＳ１１）、画像の変倍処理を行う（ステップＳ１２）。そして、指定された用紙サイズによる印刷動作を行う（ステップＳ１３）。
【００３６】
以上の説明から明らかなように、マスター機で選択したトレイの用紙がスレーブ機に設定されていない場合であっても、そのトレイを選択可能とし、連結印刷の動作を開始できるようにし、一方、スレーブ機では、スレーブ機にある用紙サイズで印刷動作を行なえるようにすることにより、生産性の向上を図ることが可能となる。
【００３７】
また、マスター機で選択したトレイの用紙がスレーブ機に設定されていない場合、スレーブ機に設定されていない用紙サイズであることをマスター機側で表示し、スレーブ機の印刷用紙サイズを指定することができる手段を有することにより、使い勝手の向上を図ることが可能となる。
【００３８】
また、マスター機で選択したトレイの用紙がスレーブ機に設定されていない場合であっても、スレーブ機での印刷において、選択された用紙サイズにあわせて変倍処理することができることにより、画像欠けのない出力結果を得ることが可能となる。
【００３９】
【発明の効果】
本発明によれば、マスター機で選択したトレイの用紙がスレーブ機に設定されていない場合であっても、そのトレイを選択可能とし、連結印刷の動作を開始できるようにし、一方、スレーブ機では、スレーブ機にある用紙サイズで印刷動作を行なえるようにすることにより、生産性の向上を図ることが可能となる。
【図面の簡単な説明】
【図１】本発明の実施形態である画像形成装置を示す図である。
【図２】本発明の実施形態である操作部を示す図である。
【図３】本発明の実施形態である液晶タッチパネルの表示一例を示す図である。
【図４】本発明の実施形態である制御装置を示す図である。
【図５】本発明の実施形態である画像処理ユニット（ＩＰＵ）の内部構造を示すブロック図である。
【図６】本発明の実施形態であるセレクタにおける１ページ分の画像信号について示した画像信号説明図である。
【図７】本発明の実施形態である画像形成装置（マスター機側）の処理動作例を示すフローチャートである。
【図８】本発明の実施形態である画像形成装置（スレーブ機側）の処理動作例を示すフローチャートである。
【図９】本発明の実施形態である液晶タッチパネルに表示されるメッセージの一例を示す図である。
【符号の説明】
２０  メインコントローラ
３０  操作部
３１  液晶タッチパネル
４８  連結インターフェース（連結Ｉ／Ｆ）
４９  画像処理ユニット（ＩＰＵ）
６４  セレクタ
６５  メモリコントローラ
６６  画像メモリ
７２  変倍部
７６  セレクタ
【図１】
2005043429.tif 000003
【図２】
2005043429.tif 000004
【図３】
2005043429.tif 000005
【図４】
2005043429.tif 000006
【図５】
2005043429.tif 000007
【図６】
2005043429.tif 000008
【図７】
2005043429.tif 000009
【図８】
2005043429.tif 000010
【図９】
2005043429.tif 000011